(57)【要約】【課題】正対映像データと配光パターンデータとを互いに干渉することなく容易にかつ高精度で読み取り可能とするとともに、映像集光部を備えた映像データ読取手段により鮮明で読み取り容易な画像の正対映像データ及び配光パターンデータが得られるヘッドライトテスタを提供する。【解決手段】ヘッドライトの照射、配光特性を検査するヘッドライトテスタにおいて、ヘッドライトから投入される照射光を反射する反射ミラーを設置するとともに、該反射ミラーの反射光からヘッドライトの正対映像データを読み取る映像データ読取手段と該反射ミラーの反射光から前記ヘッドライトの配光パターンデータを読み取る配光パターンデータ読取手段とを受光装置筐体の前方面に一定距離をおいて並設してなることを特徴とする。【選択図】      図１
2004294315.tif 000002
【特許請求の範囲】
【請求項１】
車両のヘッドライトから所定の測定距離を存して配置され、該ヘッドライトの照射、配光特性を検査するヘッドライトテスタにおいて、前記ヘッドライトから集光レンズを通して投入される照射光を反射する反射ミラーを設置するとともに、該反射ミラーの反射光から前記ヘッドライトの正対映像データを読み取る映像データ読取手段と該反射ミラーの反射光から前記ヘッドライトの配光パターンデータを読み取る配光パターンデータ読取手段とを受光装置筐体の前方面に一定距離をおいて並設してなることを特徴とするヘッドライトテスタ。
【請求項２】
前記映像データ読取手段は、映像を受像する映像スクリーンと、前記反射ミラーから反射された前記ヘッドライトの正対映像を複数の誘導ミラーを介して集光して前記映像スクリーンに入光する映像集光部とを備えてなることを特徴とする請求項１記載のヘッドライトテスタ。
【請求項３】
前記映像集光部は、移動手段を介して垂直及び水平方向に移動可能にされるとともに、前記複数の誘導ミラーの向きを調整可能に構成されてなることを特徴とする請求項２記載のヘッドライトテスタ。
【発明の詳細な説明】
【０００１】
【発明の属する技術分野】
本発明は、車両のヘッドライトの照射、配光特性を検査するヘッドライトテスタに関する。
【０００２】
【従来の技術】
車両のヘッドライトから所定の測定距離を存して配置され、該ヘッドライトの放射、配光特性を検査するヘッドライトテスタの１つとして、特許文献１（特開平１１―２５８１１２号公報）の技術が提供されている。
かかる技術においては、筐体内にヘッドライトから集光レンズを通して投入される照射光を部分反射する半透鏡に構成された半透ミラー（ハーフミラー）を設置するとともに、図４に示されるように、ヘッドライトの正対映像を、正対照準を用いて読み取るようにした映像データ００１と、ヘッドライトの配光パターンを配光パターン照準を用いて読み取るようにした配光パターンデータ００２とを同一の映像スクリーン０１０に投影するようにした映像データ読取装置を筐体の集光レンズ側上部に設け、前記筐体内の半透ミラー後方に配光パターン照準用センサーを配列して該センサーの受光出力によって、上下左右動手段を以って追尾するセンサー基板を設置することによって配光パターンの計器測定を可能としている。
【０００３】
また、車両のヘッドライトから所定の測定距離を存して配置され、該ヘッドライトの正対映像データを読み取る映像データ読取手段と前記ヘッドライトの配光パターンデータを読み取る配光パターンデータ読取手段とを併設したヘッドライトテスタとして、特許文献２（特開２００１−１３０４１公報）が提供されている。
【０００４】
【特許文献１】
特開平１１―２５８１１２号公報
【特許文献２】
特開２００１−１３０４１公報
【０００５】
【発明が解決しようとする課題】
特許文献１に示されるような従来技術にあっては、図４に示されるように、ヘッドライトの正対映像を読み取るようにした映像データ００１と該ヘッドライトの配光パターンを読み取るようにした配光パターンデータ００２とを同一の映像スクリーン０１０に投影するように構成されていることから、正対映像データ００１と配光パターンデータ００２とが同一画面に混在するため、正対映像データと配光パターンデータとが互いに干渉して正対映像あるいは配光パターンを精度良く読み取り難い。
等の問題点を有している。
【０００６】
本発明はかかる従来技術の課題に鑑み、正対映像データと配光パターンデータとを互いに干渉することなく容易にかつ高精度で読み取り可能とするとともに、映像集光部を備えた映像データ読取手段により鮮明で読み取り容易な画像の正対映像データ及び配光パターンデータが得られるヘッドライトテスタを提供することを目的とする。
【０００７】
【課題を解決するための手段】
本発明はかかる目的を達成するもので、車両のヘッドライトから所定の測定距離を存して配置され、該ヘッドライトの照射、配光特性を検査するヘッドライトテスタにおいて、前記ヘッドライトから集光レンズを通して投入される照射光を反射する反射ミラーを設置するとともに、該反射ミラーの反射光から前記ヘッドライトの正対映像データを読み取る映像データ読取手段と該反射ミラーの反射光から前記ヘッドライトの配光パターンデータを読み取る配光パターンデータ読取手段とを受光装置筐体の前方面に一定距離をおいて並設してなることを特徴とする。
【０００８】
かかる発明において好ましくは、前記映像データ読取手段は、映像を受像する映像スクリーンと、前記反射ミラーから反射された前記ヘッドライトの正対映像を複数の誘導ミラーを介して集光して前記映像スクリーンに入光する映像集光部とを備えてなる。
またかかる発明において好ましくは、前記映像集光部は、移動手段を介して垂直及び水平方向に移動可能にされるとともに、前記複数の誘導ミラーの向きを調整可能に構成されてなる。
【０００９】
かかる発明によれば、前記ヘッドライトからの照射光は、受光装置の集光レンズを通して反射ミラーに到達し、該反射ミラーにて反射された反射光は配光パターンデータ読取手段及び映像データ読取手段に入光される。
前記配光パターンデータ読取手段においては、前記反射ミラーからの反射光を、配光パターン照準用センサーを配列して該センサーの受光出力によって受光装置の上下左右動手段を以って追尾するセンサー基板に入光することにより、配光パターンの計器測定を可能とするとともに、配光パターンスクリーンに配光パターンを投影することにより目視で読み取ることができる。
【００１０】
一方、前記配光パターンデータ読取手段と一定距離をおいて別個に設置されている前記映像データ読取手段においては、移動手段によって映像集光部を垂直あるいは水平方向に移動させてその高さ位置を調整するとともに、複数の誘導ミラーの向きを変化させて前記反射ミラーからの反射光の向きを調整することにより前記ヘッドライトからの光軸を正対位置に設定し、該映像集光部において前記ヘッドライトの正対映像を集光して映像スクリーンに投影し、目視読み取り可能とすることができる。
【００１１】
従って、かかる発明によれば、ヘッドライトの正対映像データを読み取る映像データ読取手段と前記ヘッドライトの配光パターンデータを読み取る配光パターンデータ読取手段とを受光装置筐体の前方面に一定距離をおいて並設したので、特許文献１のように正対映像データと配光パターンデータとが同一画面に混在することがなく、受光装置筐体の前方面に別個に並設された映像データ読取手段と配光パターンデータ読取手段とにより、近接した同じ側から正対映像データと配光パターンデータとを互いに干渉することなく容易にかつ高精度で読み取ることができる。
【００１２】
また、反射ミラーから反射されたヘッドライトの正対映像を、移動手段により垂直及び水平方向に移動するとともに複数の誘導ミラーの向きを変化させることによっても調整できるので、正対映像の調整精度が向上して正確な正対映像を映像スクリーンに投影することができる。
さらには、映像データ読取手段と配光パターンデータ読取手段とを受光装置筐体の前方面、好ましくは集光レンズと同じ側に並設したので、前記読取手段の読み取り操作が容易化されて操作性が向上する。
【００１３】
【発明の実施の形態】
以下、本発明を図に示した実施例を用いて詳細に説明する。但し、この実施例に記載される構成部品の寸法、形状、その相対配置などは特に特定的な記載がない限り、この発明の範囲をそれのみに限定する趣旨ではなく単なる説明例に過ぎない。
【００１４】
図１は本発明の実施例に係る車両（自動車）のヘッドライトテスタにおける受光装置の側面構成図、図２は配光パターンスクリーン及び映像スクリーンの投影映像の１例を示す概略平面図、図３はヘッドライトテスタの正面図である。
【００１５】
本発明に係るヘッドライトテスタの全体構成を示す図３において、１００はヘッドライトテスタで次のように構成されている。
５２はレール５４に沿って車両（図示省略）の左右方向に移動可能に設けられたベース、５３は該ベース５２上に垂直に立設されたスタンド、５０は該スタンド５３の側部に固定されたガイド板、５１は該ガイド板５０に沿ってスライド可能に取付けられた受光装置支持部材、５５は昇降ハンドルである。
【００１６】
１は前記受光装置支持部材５１上に取り付けられた受光装置で、前記昇降ハンドル５５を操作することにより、前記受光装置支持部材５１及び受光装置１が前記ガイド板５０に沿って垂直方向に往復動可能となっている。また、前記受光装置１は前記受光装置支持部材５１上を、前記レール５４と直角方向に上下動ハンドル５１ａを回動することにより上下角方向に作動せしめることができ、また左右動ハンドル５１ｂを回動することにより左右角方向に作動せしめることができるようになっている。
【００１７】
本発明の実施例を示す図１において、１は受光装置、２００は車両のヘッドライトで、該受光装置１は前記ベース５２をレール５４に沿って移動させることにより前記ヘッドライトに正対させ、前記ヘッドライト２００との間の所定距離Ｌで測定するようになっている。
１１は後述する各受光部材を収容する受光装置筐体である。１２は前記ヘッドライト２００に対向して配置されて該ヘッドライト２００からの照射光を集光する集光レンズ、１３は前記受光装置筐体１１の内部に設けられた反射ミラーである。
該反射ミラー１３は、前記集光レンズ１２を通った照射光を反射して、後述する映像スクリーン２０及び配光パターンスクリーン１４に投影可能になるように、傾斜角αを調整可能にして前記受光装置筐体１１に取付けられている。
【００１８】
２０は前記ヘッドライト２００の正対映像が投影される映像スクリーン、１４は前記ヘッドライト２００からの照射光の後述するような配光パターンが投影される配光パターンスクリーンである。
１５はセンサー基板で、配光パターン照準用センサーを配列して該センサーの受光出力によって、前記受光装置１の上下角方向作動手段（上下動ハンドル５１ａ）及び左右角方向作動手段（左右動ハンドル５１ｂ）を以って追尾可能に構成されて、前記反射ミラー１３にて反射されたヘッドライト２００からの反射光の配光パターンを測定計器にて測定可能に構成されている。該センサー基板１５は前記特許文献１のような従来のものと同様であるので、詳細な構造説明は省略する。
前記反射ミラー１３にて反射されたヘッドライト２００の配光パターンが、該センサー基板１５を介して前記配光パターンスクリーン１４上に投影されるようになっている。
【００１９】
１８は映像集光部で、前記ヘッドライト２００の正対映像を前記映像スクリーン２０に結像するレンズ０１９、前記反射ミラー１３からの反射光の方向を制御して前記レンズ０１９に入光する２枚（３枚以上でもよい）の映像光誘導ミラー０１６及び映像ミラー０１７、及び前記レンズ０１９、映像光誘導ミラー０１６、映像ミラー０１７等を前記受光装置筐体１１に移動可能に支持する移動台０１８等からなる。
前記映像光誘導ミラー０１６及び映像ミラー０１７は、前記移動台０１８に、その向きつまり傾斜角を調整可能に支持されている。あるいは、該映像光誘導ミラー０１６及び映像ミラー０１７をその向きつまり傾斜角を調整可能にして、前記受光装置筐体１１に直接取付けてもよい。
前記センサー基板１５及び配光パターンスクリーン１４からなる配光パターンデータ読取手段、並びに前記映像集光部１８及び映像スクリーン２０からなる映像データ読取手段は、図１のように、前記集光レンズと同じ側に並設する。これにより、前記配光パターンデータ読取手段及び映像データ読取手段の読み取り操作が容易化されて操作性が向上する。
【００２０】
かかる構成からなるヘッドライトテスタ１００の使用時において、ヘッドライトテスタ１００の受光装置１と所定の測定距離Ｌに配置された車両のヘッドライト２００からの照射光は、該受光装置１の集光レンズ１２を通して反射ミラー１３に到達し、該反射ミラー１３にて反射される。
該反射ミラー１３にて反射された反射光は、配光パターンデータ読取手段を構成する前記センサー基板１５及び映像データ読取手段を構成する映像集光部１８の映像光誘導ミラー０１６に入光される。
【００２１】
前記映像集光部１８の映像光誘導ミラー０１６に入光された反射光におけるヘッドライト２００の正対映像は、該映像光誘導ミラー０１６及び映像ミラー０１７で反射されてから、レンズ０１９にて集光されて映像スクリーン２０上に結像される。
この際において、再び図３を参照して、前記昇降ハンドル５５を操作して受光装置１を上下動させるとともに該受光装置１を前記受光装置支持部材５１上を上下角、左右角方向へ作動させ、また、該映像集光部１８の映像光誘導ミラー０１６及び映像ミラー０１７の向きを変化させるとともに移動台０１８を移動させることによって、図２のように、映像スクリーン２０上に結像されるヘッドライト２００の正対映像を正対照準２００ａに一致せしめ、受光装置１とヘッドライト２００との正対を確認する。
【００２２】
また、センサー基板１５は、前記のように、配光パターン照準用センサを配列して該センサの受光出力によって受光装置１の上下角方向及び左右角方向動作手段を以って追尾可能に構成されており、前記反射ミラー１３からの反射光つまり前記ヘッドライト２００からの照射光を受光した前記配光パターン照準用センサーの受光出力を測定計器に伝送する。
前記ヘッドライト２００からの照射光の配光パターンＫは、図２に示されるように、前記ヘッドライト２００の正対照準２００ａに対応する配光パターンであって、配光パターン照準Ｍである中央垂直線Ｖと中央水平線Ｈの交点に存する光軸の基準位置として検出し、前記測定計器に伝送するとともに、前記映像スクリーン２０とは別個に設けられた配光パターンスクリーン１４上に投影、表示される。
【００２３】
前記のように、ヘッドライト２００の正対映像を投影する映像スクリーン２０と配光パターンを投影する配光パターンスクリーン１４とを別個に並設したので、従来のもののように、正対映像データと配光パターンデータとが同一画面に混在して互いに干渉することがなく、正対映像データと配光パターンデータとを容易にかつ高精度で読み取ることができる。
【００２４】
尚、ヘッドライト２００からの照射光を反射する前記反射ミラー１３は、全反射ミラーでも、一部を反射するハーフミラーの何れでもよい。全反射ミラーを用いた場合は、ハーフミラーを用いた場合よりも光量が多くなって正対映像データと配光パターンデータとの読み取りが容易にでき、より鮮明な正対映像データ及び配光パターンデータが得られる。
【００２５】
【発明の効果】
以上記載のように本発明によれば、映像データ読取手段と配光パターンデータ読取手段とを受光装置筐体の前方面に一定距離をおいて別個に並設したので、ヘッドライトの正対映像データと配光パターンデータとが同一画面に混在することがなく、受光装置筐体の前方面に別個に並設された映像データ読取手段と配光パターンデータ読取手段とにより、近接した同じ側から前記正対映像データと配光パターンデータとを互いに干渉することなく容易にかつ高精度で読み取ることができる。
【００２６】
また、反射ミラーから反射されたヘッドライトの正対映像を、移動手段により垂直及び水平方向に移動するとともに複数の誘導ミラーの向きを変化させることによっても調整できるので、正対映像の調整精度が向上して、正確な正対映像を映像スクリーンに投影することができる。
さらには、映像データ読取手段と配光パターンデータ読取手段とを受光装置筐体の前方面に並設したので、前記読取手段の読み取り操作が容易化されて操作性が向上する。
【図面の簡単な説明】
【図１】本発明の実施例に係る車両（自動車）のヘッドライトテスタにおける受光装置の側面構成図である。
【図２】配光パターンスクリーン及び映像スクリーンの投影映像の１例を示す概略平面図である。
【図３】ヘッドライトテスタの正面図である。
【図４】従来技術を示す図２対応図である。
【符号の説明】
１  受光装置
１１  受光装置筐体
１２  集光レンズ
１３  反射ミラー
１４  配光パターンスクリーン
１５  センサー基板
１８  映像集光部
０１６  映像光誘導ミラー
０１７  映像ミラー
０１８  移動台
０１９  レンズ
２０  映像スクリーン
５１  受光装置支持部材
５１ａ  上下動ハンドル
５１ｂ  左右動ハンドル
５５  昇降ハンドル
１００  ヘッドライトテスタ
２００  ヘッドライト
【図１】
2004294315.tif 000003
【図２】
2004294315.tif 000004
【図３】
2004294315.tif 000005
【図４】
2004294315.tif 000006